(57)【要約】【課題】容量式タッチパネルに適用してレーザポインター機能を備えるスタイラスを提供する。【解決手段】スタイラス１０は、筆記具の外筒２０、レーザモジュール３０、タッチヘッド部４０及び電池５０を備える。筆記具の外筒２０は、内部が中空状となっており、筆記具本体２１と、ネック状の筆端部２２とを含む。レーザモジュール３０は、筆記具の外筒２０内の筆端部２２に隣接した箇所に配置され、位置を指し示すレーザビームを発生させる。タッチヘッド部４０は、導電性を有するとともに筆端部２２に外嵌され、レーザビームを通過させる光チャネル４１を有する。電池５０は、筆記具本体２１内に収納され、レーザモジュール３０に必要な電力を供給する。【選択図】図１
0003176989.tif 000002
【実用新案登録請求の範囲】
【請求項１】
筆記具の外筒、レーザモジュール、タッチヘッド部及び電池を備えたスタイラスであって、
前記筆記具の外筒は、内部が中空状となっており、筆記具本体と、ネック状の筆端部とを含み、
前記レーザモジュールは、前記筆記具の外筒内の筆端部に隣接した箇所に配置され、位置を指し示すレーザビームを発生させ、
前記タッチヘッド部は、導電性を有するとともに前記筆端部に外嵌され、前記レーザビームを通過させる光チャネルを有し、
前記電池は、前記筆記具本体内に収納され、前記レーザモジュールに必要な電力を供給することを特徴とするスタイラス。
【請求項２】
前記筆記具本体と前記ネック状の筆端部とが隣接した箇所に、リング状で開口方向が前記筆記具の外筒の軸心方向である溝部が設けられ、前記タッチヘッド部の外縁には、前記溝部と噛合されるリング状係合部が対応して設けられていることを特徴とする請求項１に記載のスタイラス。
【請求項３】
前記筆記具の外筒は導電性を有し、
前記レーザモジュールは、レーザダイオード、固定部、第１の電極接点、第２の電極接点及びスイッチング素子を含み、
前記第２の電極接点と、導電性を有する前記筆記具の外筒とが接触され、前記筆記具の外筒の終端部開口には、エンドカバーが設けられ、前記エンドカバーは導電性を有するとともに、弾力性を有する導電部材を有し、前記電池の両端には、前記第１の電極接点及び前記導電部材がそれぞれ接触されることを特徴とする請求項１に記載のスタイラス。
【考案の詳細な説明】
【技術分野】
【０００１】
本考案は、スタイラスに関し、特に、容量式タッチパネルに適用してレーザポインター機能を備えるスタイラスに関する。
【背景技術】
【０００２】
電子産業の急速な発展により、３Ｃ（Ｃｏｍｐｕｔｅｒ、Ｃｏｍｍｕｎｉｃａｔｉｏｎ、Ｃｏｎｓｕｍｅｒ  Ｅｌｅｃｔｒｏｎｉｃｓ）の新製品が現れる速度が徐々に早まっており、特に、タッチパネル方式の操作インタフェースには将来性があり、将来、主流となることが期待されている。
【０００３】
タッチパネル方式の操作インタフェースは、基本的にタッチパネルにオペレーティングシステム（ｏｐｅｒａｔｉｎｇ  ｓｙｓｔｅｍ）のグラフィカルユーザインタフェースを組み合わせて実現しており、タッチパネルは、その感応原理の違いに応じて抵抗式タッチパネル、容量式タッチパネル、光学式タッチパネル、電磁式タッチパネル、超音波式タッチパネルの数種類に分けられる。初期段階では、パーソナルデジタルアシスタント及び携帯電話のタッチパネルは、抵抗式タッチパネルが主流であった。この抵抗式タッチパネルを使用する場合、スタイラスで力を加えて触れなければパネルが感応しない上、このようなスタイラスの筆先は細くて硬く、抵抗式タッチパネルの表面が磨耗してマルチタッチ機能を得ることができなくなることがある。
【０００４】
アップルコンピュータ社が開発した携帯電話及びタブレット型パソコンは、容量式タッチパネルを採用してマルチタッチ機能を得て、スムーズなグラフィカルユーザインタフェースの組み合わせにより消費者に広く受け入れられ、３Ｃ製品において次から次へと容量式タッチパネルが採用され始めている。一般に、ユーザは指で容量式タッチパネルを直接操作するが、手書き入力ではスタイラスを使用するほうが便利である。しかし容量式タッチパネルと抵抗式タッチパネルとの感応方式が異なるため、従来、抵抗式タッチパネルのスタイラスは、容量式タッチパネルに直接使用することはできなかった。
【０００５】
特許文献１では、ペン先と容量式タッチパネルとが接触する部分に導電性の布が配置された構造であるため、容量式タッチパネルに使用することができる。また、特許文献２では、タッチヘッド中にレーザモジュールが装着されたスタイラスが開示されている。このスタイラスは、細長のタッチヘッドを利用してタッチ操作を行うことができる上、レーザポインターと同様にレーザ光線を用いて位置を指し示す機能を有するが、容量式タッチパネルに使用することはできなかった。
【先行技術文献】
【特許文献】
【０００６】
【特許文献１】台湾実用新案登録第３９３７３５号公報
【特許文献２】台湾特許出願公開第２０１０２７３９７号公報
【考案の概要】
【考案が解決しようとする課題】
【０００７】
本考案の目的は、容量式タッチパネルに適用してレーザポインター機能を備えたスタイラスを提供することにある。
【課題を解決するための手段】
【０００８】
上記課題を解決するために、筆記具の外筒、レーザモジュール、タッチヘッド部及び電池を備えたスタイラスであって、前記筆記具の外筒は、内部が中空状となっており、筆記具本体と、ネック状の筆端部とを含み、前記レーザモジュールは、前記筆記具の外筒内の筆端部に隣接した箇所に配置され、位置を指し示すレーザビームを発生させ、前記タッチヘッド部は、導電性を有するとともに前記筆端部に外嵌され、前記レーザビームを通過させる光チャネルを有し、前記電池は、前記筆記具本体内に収納され、前記レーザモジュールに必要な電力を供給することを特徴とするスタイラスが提供される。
【０００９】
また、前記筆記具本体と前記ネック状の筆端部とが隣接した箇所に、リング状で開口方向が前記筆記具の外筒の軸心方向である溝部が設けられ、前記タッチヘッド部の外縁には、前記溝部と噛合されるリング状係合部が対応して設けられていることが好ましい。
【００１０】
また、前記筆記具の外筒は導電性を有し、前記レーザモジュールは、レーザダイオード、固定部、第１の電極接点、第２の電極接点及びスイッチング素子を含み、前記第２の電極接点と、導電性を有する前記筆記具の外筒とが接触され、前記筆記具の外筒の終端部開口には、エンドカバーが設けられ、前記エンドカバーは導電性を有するとともに、弾力性を有する導電部材を有し、前記電池の両端には、前記第１の電極接点及び前記導電部材がそれぞれ接触されることが好ましい。
【考案の効果】
【００１１】
本考案のスタイラスは、容量式タッチパネルに適用してレーザポインター機能を備える。
【図面の簡単な説明】
【００１２】
【図１】本考案の一実施形態に係るスタイラスの構造を示す断面図である。
【図２】図１のＡ部分の拡大図である。
【図３】本考案の一実施形態に係るスタイラスのタッチヘッドのタッチ面が容量式タッチパネルに押し付けられて僅かに変形したときの状態を示す模式図である。
【図４】本考案の一実施形態に係るスタイラスのレーザビームが光チャネルを通過して出射されるときの状態を示す模式図である。
【図５】本考案の他の実施形態に係るスタイラスのタッチヘッドと筆端部とが結合された部分を示す断面構造図である。
【図６】本考案の一実施形態に係るレーザモジュールの等価回路図である。
【図７】本考案の一実施形態に係るレーザモジュールに回路が組み合わされた状態を示す断面図である。
【図８】本考案の一実施形態に係るスタイラスのタッチヘッド部と筆端部とが結合された箇所を示す断面図である。
【図９】本考案の一実施形態に係るスタイラスのタッチヘッド部と筆端部とが結合された箇所を示す断面図である。
【考案を実施するための形態】
【００１３】
図１を参照する。図１に示すように、本考案の一実施形態に係るスタイラス１０は、少なくとも筆記具の外筒２０、レーザモジュール３０、タッチヘッド部４０及び電池５０から構成される。
【００１４】
筆記具の外筒２０は、内部が中空状となっており、電池を収容するために用いる筆記具本体２１と、ネック状の筆端部２２とを含む。
【００１５】
レーザモジュール３０は、筆端部２２内に配置され、位置を指し示すレーザビームを発生させる。
【００１６】
タッチヘッド部４０は、導電性を有する筆端部２２に外嵌され、光チャネル４１が穿設されている。この光チャネル４１は、直径が０．１ｍｍ〜５ｍｍの範囲であり、レーザビームを通過させるために用いる。
【００１７】
電池５０は、筆記具本体２１内に収納され、レーザモジュール３０に必要な電力を供給する。
【００１８】
タッチヘッド部４０は、導電性ゴム、シリコーン又はその他導電性材料からなり、筆記具の外筒２０は、導電性を有する材料（例えば、アルミニウム合金もしくはその他の金属からなる管又はその他非金属性導電材料）或いは、導電性を備えない材料（例えば、プラスチック管）から製作され、もし導電性を有する材料により筆記具の外筒２０が製作される場合、ユーザの指が触れる筆記具の外筒２０の外表面が導電性を備え、タッチヘッド部４０と電流の導通経路が形成される。ユーザの指と容量式タッチパネル６０との間に導通経路が形成されるため、ユーザがスタイラス１０を手で持って容量式タッチパネル６０に触れると（図３参照）、容量式タッチパネル６０を指で触れたのと同様にタッチパネル機能を得ることができる。
【００１９】
図２を参照する。図２に示すように、タッチヘッド部４０は、形状が碗状であり、タッチ面４２を有する。タッチヘッド部４０が容量式タッチパネル６０に触れると、タッチ面４２により容量式タッチパネル６０に接触圧が加わり、圧力を受けて僅かに変形し（図３参照）、感触及び緩衝力を安定させることができる。タッチヘッド部４０と筆記具の外筒２０とを結合させる方式としては、例えば、図２に示すように、筆記具本体２１と筆端部２２とが隣接した箇所に、リング状で開口方向が筆記具の外筒２０の軸心方向である溝部２３を設ける方式が採用されている。タッチヘッド部４０の外縁には、溝部２３と噛合されるリング状係合部４３が対応して設けられ、タッチヘッド部４０を筆端部２２へ嵌合させることができる。
【００２０】
タッチヘッド部４０と筆記具の外筒２０とを結合させる方式としては、他の実施形態では、例えば、図５に示すように、筆端部２２の外表面にリング状のリブ２４を設け、タッチヘッド部４０の内縁表面に、リブ２４と噛合するリング状凹部４４を設け、タッチヘッド部４０を筆端部２２へ外嵌させる方式を採用してもよい。上述したタッチヘッド部４０と筆記具の外筒２０とを結合させる方式は、実施可能な一態様を示しただけであり、その結合方式を何ら限定するわけではなく、本考案に基づいて当業者が変更を加えたものであっても、本考案の実用新案登録請求の範囲に属する。
【００２１】
レーザモジュール３０は、レーザダイオード３１、固定部３２、第１の電極接点３３、第２の電極接点３４及びスイッチング（ｓｗｉｔｃｈ）素子３５を含む。外筒２０は、使用する材料に応じて導電性を有する態様と、導電性を有さない態様との２種類に分けられ、電池５０がレーザモジュール３０に電力を供給する回路構造は異なってもよく、以下その態様について詳説する。
【００２２】
図１及び図２を参照する。図１及び図２に示すように、本実施形態の筆記具の外筒２０は、導電性を有する。第２の電極接点３４と筆記具の外筒２０とが接触され、筆記具の外筒２０の終端部開口には、エンドカバー２５が設けられている。エンドカバー２５は、導電性を有するとともに、筆記具の外筒２０の終端部開口にボルトにより螺着されている。エンドカバー２５には、弾力性を有する導電部材（金属スプリング）２５１が設けられている。電池５０の両端には、第１の電極接点３３及び導電部材２５１がそれぞれ接触され、スイッチング素子３５が筆記具の外筒２０に貫設された押ボタン２６により押圧されると（図４参照）、電池５０は、導電部材２５１、エンドカバー２５、筆記具の外筒２０、第１の電極接点３３及び第２の電極接点３４により電気回路が構成され、その等価回路図を図６に示す。レーザダイオード３１が駆動するとレーザビームが出射される。スタイラス１０は、光チャネル４１を介してレーザビームを出射させることによりレーザポインターの機能を得る。
【００２３】
図７を参照する。図７に示すように、本実施形態の筆記具の外筒２０は、導電性を備えていない。第２の電極接点３４は、筆記具の外筒２０の内側から筆記具の外筒２０の終端部まで延伸された延伸接点３４１を有する。筆記具の外筒２０の終端部開口には、エンドカバー２５が設けられている。このエンドカバー２５は、弾力性を有する導電部材２５１（金属ばね）及び導電リング２５２を有する。導電リング２５２と導電部材２５１とが電気的に接続され、エンドカバー２５に筆記具の外筒２０の終端部が取り付けられると、導電リング２５２が第２の電極接点の延伸接点３４１に接触され、電池５０の両端が第１の電極接点３３及び導電部材２５１にそれぞれ接触され、筆記具の外筒２０に貫設された押ボタン２６によりスイッチング素子３５が押圧されると（図４参照）、電池５０が、導電部材２５１、導電リング２５２、延伸接点３４１、第１の電極接点３３及び第２の電極接点３４により電気回路が構成され、レーザダイオード３１を駆動させてレーザビームを出射する。スタイラス１０は、光チャネル４１を介してレーザビームを出射させ、レーザポインターの機能を得る。
【００２４】
本実施形態はさらに複数のタッチヘッド部４０を含む。各タッチヘッド部４０の光チャネル４１は、断面形状がそれぞれ異なるため、光チャネル４１を通過したレーザビームが様々な形状のレーザ光点に形成される。
【００２５】
図８を参照する。図８に示すように、本考案の一実施形態に係るスタイラスは、筆記具本体２１内の筆端部２２に隣接した箇所にレーザモジュール３０が設置され、レーザダイオード３１が、ネック状の筆端部２２の外側に対応するように固定されるとともに、筆端部２２がタッチヘッド部４０上の光チャネルに対応し、レーザダイオード３１から出射された光線がネック状の筆端部２２を通り、タッチヘッド部４０上の光チャネル４１まで案内されて出力される点が図１と異なるが、図１の実施形態と同じその他の構造については、ここでは繰り返して述べない。
【００２６】
図９を参照する。図９に示すように、本考案の一実施形態に係るスタイラスは、レーザモジュール３０のレーザダイオード３１がソケット３６内に封止され、ソケット３６の外表面には雄ネジ部３６１が設けられ、ネック状の筆端部２２の内部には、雌ネジ部２２１が設けられ、雌ネジ部２２１と雄ネジ部３６１とが螺着され、レーザダイオード３１が結合されたソケット３６は、ネック状の筆端部２２に固定され、タッチヘッド部４０の光チャネル４１に対応させ、レーザダイオード３１から出射された光線がネック状の筆端部２２を介してタッチヘッド部４０の光チャネル４１まで案内され、光チャネル４１の外側へ出力され、筆端部２２の外表面に設けたフープ２７に、タッチヘッド部４０の端縁を挿入し、フープ２７の頂端を締付けて筆端部２２のフープ２７内へタッチヘッド部４０を固定する点が図１と異なるが、図１の実施形態と同じその他の構造については、ここでは繰り返して述べない。
【００２７】
上述の筆端部２２と筆記具の外筒２０とは、組み立てたり一体成形したりして製作されるが、本考案はこの態様だけに特に限定されるわけではない。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１０  スタイラス
２０  筆記具の外筒
２１  筆記具本体
２２  筆端部
２３  溝部
２４  リブ
２５  エンドカバー
２６  押ボタン
２７  フープ
３０  レーザモジュール
３１  レーザダイオード
３２  固定部
３３  第１の電極接点
３４  第２の電極接点
３５  スイッチング素子
３６  ソケット
４０  タッチヘッド部
４１  光チャネル
４２  タッチ面
４３  リング状係合部
４４  リング状凹部
５０  電池
６０  容量式タッチパネル
２２１  雌ネジ部
２５１  導電部材
２５２  導電リング
３４１  第２の電極接点の延伸接点
３６１  雄ネジ部
【図１】
0003176989.tif 000003
【図２】
0003176989.tif 000004
【図３】
0003176989.tif 000005
【図４】
0003176989.tif 000006
【図５】
0003176989.tif 000007
【図６】
0003176989.tif 000008
【図７】
0003176989.tif 000009
【図８】
0003176989.tif 000010
【図９】
0003176989.tif 000011